(57)【要約】      （修正有）【課題】カード挿入ユニット、カード排出ユニットを単一部品とすることにより、需要に応じてそれらを交換できるシャッフル機を提供する。【解決手段】ホイール１０と、該ホイール１０と連結するカード挿入ユニット２０とカード排出ユニット３０とを具備するカードシャッフル機であって、ホイール１０とカード挿入ユニット２０との間に設置され、端縁に少なくとも１つの係合溝４１１が形成される載置フレーム４１と、係合溝４１１に係合される少なくとも１つの係合ロッド４２とを含む挿入装置交換機構と、ホイール１０とカード排出ユニット３０との間に設置され、端縁に少なくとも１つの係合穴５１１が形成される載置座５１と、係合穴５１１に係合される少なくとも１つの係合棒５２とを含む排出装置交換機構と、を備えることを特徴とする。【選択図】図２
0003151490.tif 000002
【実用新案登録請求の範囲】
【請求項１】
ホイール（１０）と、該ホイール（１０）と連結するカード挿入ユニット（２０、２０A）とカード排出ユニット（３０、３０A、３０B）とを具備するカードシャッフル機であって、
前記ホイール（１０）とカード挿入ユニット（２０、２０A）との間に設置され、端縁に少なくとも１つの係合溝（４１１）が形成される載置フレーム（４１）と、該係合溝（４１１）に係合される少なくとも１つの係合ロッド（４２）とを含む挿入装置交換機構（４０）と、
前記ホイール（１０）とカード排出ユニット（３０、３０A、３０B）との間に設置され、端縁に少なくとも１つの係合穴（５１１）が形成される載置座（５１）と、該係合穴（５１１）に係合される少なくとも１つの係合棒（５２）とを含む排出装置交換機構（５０）と、を備えることを特徴とするカード挿入／排出ユニット装置交換機構を備えたカードシャッフル機。
【請求項２】
前記挿入装置交換機構（４０）における各係合溝（４１１）の開口部に、係止ブロック（４１２）が突設されることを特徴とする請求項１に記載のカード挿入／排出ユニット装置交換機構を備えたカードシャッフル機。
【請求項３】
前記挿入装置交換機構（４０）における、各係合部（４２）の外壁面に、対応する係合溝（４１１）に係合される環状溝（４２１）が凹設されることを特徴とする請求項２に記載のカード挿入／排出ユニット交換機構を備えたカードシャッフル機。
【請求項４】
前記排出装置交換機構（５０）は、逆L字形を呈する各係合穴（５１１）を有し、該係合穴（５１１）は縦溝（５１３）と、該縦溝（５１３）より大きく形成される横溝（５１２）を有することを特徴とする請求項１乃至３のいずれか一項に記載のカード挿入／排出ユニット交換機構を備えたカードシャッフル機。
【請求項５】
前記排出装置交換機構（５０）における各係合棒（５２）の外壁面に、対応する係合穴（５１１）の縦溝（５１３）に係合される環状溝（５２１）が凹設されることを特徴とする請求項４に記載のカード挿入／排出ユニット交換機構を備えたカードシャッフル機。
【請求項６】
前記挿入装置交換機構（４０）における載置フレーム（４１）はU字形を呈し、前記ホイール（１０）の両側にそれぞれ側部プレートが設けられ、該各側部プレートに上支持部（４１３）と下支持部（４１４）が延設されると共に、該上支持部（４１３）と下支持部（４１４）に前記係合溝（４１１）が形成されることを特徴とする請求項１乃至４のいずれか一項に記載のカード挿入／排出ユニット交換機構を備えたカードシャッフル機。
【請求項７】
前記挿入装置交換機構（４０）における載置台（４１）は、U字形を呈すると共に、前記ホイール（１０）の両側に位置する２つの側部プレートを有し、各側部プレートに上支持部（４１３）と下支持部（４１４）が延設されると共に、該上支持部（４１３）と下支持部（４１４）に前記係合溝（４１１）が形成され、
該挿入装置交換機構（４０）における係合部（４２）がカード挿入ユニット（２０、２０A）の端部に固設されることを特徴とする請求項５に記載のカード挿入／排出ユニット交換機構を備えたカードシャッフル機。
【請求項８】
前記排出装置交換機構（５０）における載置座（５１）が前記ホイール（１０）の底部に固設され、その端部がホイール（１０）から延出し、
該排出装置交換機構（５０）における係合棒（５２）がカード排出ユニット（３０、３０A、３０B）の端部に固設されることを特徴とする請求項１乃至７のいずれか一項に記載のカード挿入／排出ユニット交換機構を備えたカードシャッフル機。
【考案の詳細な説明】
【技術分野】
【０００１】
本考案は、特にカジノなどの賭博場に使用され、トランプ等のカードをシャッフルするためのカード挿入／排出ユニット交換機構を備えたカードシャッフル機に関するものである。
【背景技術】
【０００２】
カジノなどの賭博場においてトランプゲームは、遊び方のバリエーションが多く非常にポピュラーなゲームであり、ゲームを進める際には、ディーラーによりカードをシャッフルしてからゲーム参加者に配るが、そのシャッフルの過程で不正行為が行われる可能性があるので、現在では公平性を保つために、多くの賭博場ではシャッフル機が採用されている。
【０００３】
従来のシャッフル機は、電子装置により制御されるホイールと、カード挿入装置と、カード排出装置とを有し、使用時に、トランプカードは該カード挿入装置からホイールに送られ、次に該ホイールがランダムに転動し、乱数配列であるカードをカード排出装置から排出する。
【０００４】
また、トランプゲームは種類によってカードの使用方法が変わり、例えば、バカラやブラックジャック等のゲームをする時には少なくと４組のカードが使用されるので、カード挿入装置は数組のトランプカードを収容する必要があり、またはテキサス・ホールデム等のゲームをする時には、一回に多数のトランプカードが配られることから、速い速度でトランプカードを配る必要がある。故に、前記カード挿入装置とカード排出装置の構造はトランプゲームの種類に応じて異なるものを使用する必要がある。
【考案の概要】
【考案が解決しようとする課題】
【０００５】
しかしながら、構造の異なるシャッフル機を製造することは、その製造工程が複雑になるため、生産側にとってコスト的に不利であった。また、賭博場では、多くのトランプゲームが行われており、状況によって経営者はトランプゲームの種類やゲーム数を調節するが、その際には多くのシャッフル機を使用する場合もあるので、コストが上がってしまうという問題があった。
【０００６】
そこで、案出されたのが本考案であって、トランプカードをシャッフルするためのホイール構造を、ゲームの種類に応じて変更する必要がなく、カード挿入ユニット、カード排出ユニット及びホイール（１０）をそれぞれ単一部品にし、需要に応じてカード挿入ユニット若しくはカード排出ユニットを交換できるシャッフル機を提供することを目的としている。
【課題を解決するための手段】
【０００７】
本願の請求項１の考案は、ホイール（１０）と、該ホイール（１０）と連結するカード挿入ユニット（２０、２０A）とカード排出ユニット（３０、３０A、３０B）とを具備するカードシャッフル機であって、
【０００８】
前記ホイール（１０）とカード挿入ユニット（２０、２０A）との間に設置され、端縁に少なくとも１つの係合溝（４１１）が形成される載置フレーム（４１）と、該係合溝（４１１）に係合される少なくとも１つの係合ロッド（４２）とを含む挿入装置交換機構（４０）と、
【０００９】
前記ホイール（１０）とカード排出ユニット（３０、３０A、３０B）との間に設置され、端縁に少なくとも１つの係合穴（５１１）が形成される載置座（５１）と、該係合穴（５１１）に係合される少なくとも１つの係合棒（５２）とを含む排出装置交換機構（５０）と、を備えることを特徴とするカード挿入／排出ユニット装置交換機構を備えたカードシャッフル機、を提供する。
【００１０】
本願の請求項２の考案は、前記挿入装置交換機構（４０）における各係合溝（４１１）の開口部に、係止ブロック（４１２）が突設されることを特徴とする請求項１に記載のカード挿入／排出ユニット装置交換機構を備えたカードシャッフル機、を提供する。
【００１１】
本願の請求項３の考案は、前記挿入装置交換機構（４０）における、各係合部（４２）の外壁面に、対応する係合溝（４１１）に係合される環状溝（４２１）が凹設されることを特徴とする請求項２に記載のカード挿入／排出ユニット交換機構を備えたカードシャッフル機、を提供する。
【００１２】
本願の請求項４の考案は、前記排出装置交換機構（５０）は、逆L字形を呈する各係合穴（５１１）を有し、該係合穴（５１１）は縦溝（５１３）と、該縦溝（５１３）より大きく形成される横溝（５１２）を有することを特徴とする請求項１乃至３のいずれか一項に記載のカード挿入／排出ユニット交換機構を備えたカードシャッフル機、を提供する。
【００１３】
本願の請求項５の考案は、前記排出装置交換機構（５０）における各係合棒（５２）の外壁面に、対応する係合穴（５１１）の縦溝（５１３）に係合される環状溝（５２１）が凹設されることを特徴とする請求項４に記載のカード挿入／排出ユニット交換機構を備えたカードシャッフル機、を提供する。
【００１４】
本願の請求項６の考案は、前記挿入装置交換機構（４０）における載置フレーム（４１）はU字形を呈し、前記ホイール（１０）の両側にそれぞれ側部プレートが設けられ、該各側部プレートに上支持部（４１３）と下支持部（４１４）が延設されると共に、該上支持部（４１３）と下支持部（４１４）に前記係合溝（４１１）が形成されることを特徴とする請求項１乃至４のいずれか一項に記載のカード挿入／排出ユニット交換機構を備えたカードシャッフル機、を提供する。
【００１５】
本願の請求項７の考案は、前記挿入装置交換機構（４０）における載置台（４１）は、U字形を呈すると共に、前記ホイール（１０）の両側に位置する２つの側部プレートを有し、各側部プレートに上支持部（４１３）と下支持部（４１４）が延設されると共に、該上支持部（４１３）と下支持部（４１４）に前記係合溝（４１１）が形成され、
【００１６】
該挿入装置交換機構（４０）における係合部（４２）がカード挿入ユニット（２０、２０A）の端部に固設されることを特徴とする請求項５に記載のカード挿入／排出ユニット交換機構を備えたカードシャッフル機、を提供する。
【００１７】
本願の請求項８の考案は、前記排出装置交換機構（５０）における載置座（５１）が前記ホイール（１０）の底部に固設され、その端部がホイール（１０）から延出し、
【００１８】
該排出装置交換機構（５０）における係合棒（５２）がカード排出ユニット（３０、３０A、３０B）の端部に固設されることを特徴とする請求項１乃至７のいずれか一項に記載のカード挿入／排出ユニット交換機構を備えたカードシャッフル機、を提供する。
【考案の効果】
【００１９】
本考案は上記の課題を解決するものであり、ホイール、カード挿入ユニット及びカード排出ユニットをそれぞれ単一部品にすることにより、それらの部品を別個に製造及び販売することができることから、生産側にとって製造が容易になるだけでなく、使用者もトランプゲームの種類に応じて異なるカード挿入ユニット及びカード排出ユニットを購入し、ホイールと組み合わせて使用できるので、非常に実用的であると共に、経済的である。
【図面の簡単な説明】
【００２０】
【図１】本考案に係るカード挿入／排出ユニット交換機構を備えたカードシャッフル機の第一実施例を示す斜視図である。
【図２】本考案に係るカード挿入／排出ユニット交換機構を備えたカードシャッフル機の第１実施例を示す分解斜視図である。
【図３】本考案に係るカード挿入／排出ユニット交換機構を備えたカードシャッフル機の第１実施例を示す部分斜視図である。
【図４】本考案に係るカード挿入／排出ユニット交換機構を備えたカードシャッフル機の第２実施例を示す分解斜視図である。
【図５】本考案に係るカード挿入／排出ユニット交換機構を備えたカードシャッフル機の第３実施例を示す分解斜視図である。
【考案を実施するための形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図１は本考案に係るカード挿入／排出ユニット交換機構を備えたカードシャッフル機の第一実施例を示す斜視図であり、図２は本考案に係るカード挿入／排出ユニット交換機構を備えたカードシャッフル機の第１実施例を示す分解斜視図であり、図３は本考案に係るカード挿入／排出ユニット交換機構を備えたカードシャッフル機の第１実施例を示す部分斜視図であり、図４は本考案に係るカード挿入／排出ユニット交換機構を備えたカードシャッフル機の第２実施例を示す分解斜視図であり、図５は本考案に係るカード挿入／排出ユニット交換機構を備えたカードシャッフル機の第３実施例を示す分解斜視図である。
【００２３】
図１及び図２に示すように、本考案に係るカード挿入／排出ユニット交換機構を備えたカードシャッフル機は、ホイール（１０）と、カード挿入ユニット（２０）と、カード排出ユニット（３０）と、挿入装置交換機構（４０）と、排出装置交換機構（５０）とを具備し、その内、該ホイール（１０）と、カード挿入ユニット（２０）と、カード排出ユニット（３０）の構成は従来の技術と同一であるため、その詳細については省略する。また、図４及び図５に示すように、カード挿入ユニット（２０、２０A）とカード排出ユニット（３０、３０A、３０B）の種類は多種多様であり、トランプゲームの種類によって交換することができる。
【００２４】
図１乃至図３に示すように、挿入装置交換機構（４０）は、ホイール（１０）とカード挿入ユニット（２０）との間に設置され、載置台（４１）と、少なくとも１つの係合部（４２）とを含み、その内、該載置台（４１）の端縁に少なくとも１つの係合溝（４１１）が形成されると共に、該係合溝（４１１）の開口部に係止ブロック（４１２）が突設され、一方、該係合部（４２）の外壁面に環状溝（４２１）が凹設されると共に、該係合部（４２）は、係合溝（４１１）に対応し、該環状溝（４２１）を介して係合溝（４１１）に係合され、該係止ブロック（４１２）により位置決めされる。
【００２５】
本実施例においては、前記挿入装置交換機構（４０）における載置台（４１）がU字形を呈すると共に、２つの側部プレートを有し、該２つの側部プレートは、前記ホイール（１０）の両側に位置し、更に、該各側部プレートに上支持部（４１３）と下支持部（４１４）とが延設されると共に、該上支持部（４１３）と下支持部（４１４）に前記係合溝（４１１）が設けられる。また、前記挿入装置交換機構（４０）は、４つの係合部（４２）を含み、それらの係合部（４２）は、カード挿入ユニット（２０）の一端における、両側の上部と下部に固設される。
【００２６】
図１及び図２に示すように、排出装置交換機構（５０）は、ホイール（１０）とカード排出ユニット（３０）との間に設置され、載置座（５１）と、少なくとも１つの係合棒（５２）とを含み、その内、該載置座（５１）の端縁に、少なくとも逆L字形を呈し、縦溝（５１３）と、該縦溝（５１３）より大きく形成される横溝（５１２）とを有する１つの係合穴（５１１）が形成され、一方、該係合棒（５２）は、その外壁面に環状溝（５２１）が凹設されると共に、前記係合穴（５１１）に対応し、該環状溝（５２１）を介して係合穴（５１１）に係合される。
【００２７】
更に、本実施例においては、前記排出装置交換機構（５０）における載置座（５１）が前記ホイール（１０）の底部に固設され、その端部がホイール（１０）から延出し、該端部には２つの係合穴（５１１）が設けられる。また、前記排出装置交換機構（５０）は２つの係合棒（５２）を含み、それらの係合棒（５２）はカード排出ユニット（３０）の一側底部に固設される。
【産業上の利用可能性】
【００２８】
本考案は上記の構成を有し、ホイール、カード挿入ユニット及びカード排出ユニットが単一部品であることから、個別に若しくはセットで販売できるので、製造が容易となり、更には、使用者が需要に応じてカード挿入ユニット及びカード排出ユニットを購入して、同一のホイールと組み合わせて使用できるので、非常に経済的である。
【符号の説明】
【００２９】
１０        ホイール
２０、２０A  カード挿入ユニット
３０、３０A、３０B  カード排出ユニット
４０        挿入装置交換機構
４１        載置台
４１１      係合溝
４１２      係止ブロック
４１３      上支持部
４１４      下支持部
４２        係合部
４２１      環状溝
５０        排出装置交換機構
５１        載置座
５１１      係合穴
５１２      横溝
５１３      縦溝
５２        係合棒
５２１      環状溝
【図１】
0003151490.tif 000003
【図２】
0003151490.tif 000004
【図３】
0003151490.tif 000005
【図４】
0003151490.tif 000006
【図５】
0003151490.tif 000007